(57)【要約】【課題】コストが低く、節水できる環境保護型の経済実用の多様化機能を具えた洗浄便器の製造方法を提供する。【解決手段】大便器３および粉砕ポンプ５を含む。粉砕ポンプ５は大便器３底部の出口凹み部に設置される。回路制御装置１が含まれる。大便器３は前部に近い底面に糞便粉砕パイプ８を接続設置し、糞便粉砕パイプ８に通／断をコントロールする電磁弁１２を設置する。糞便粉砕パイプ８は大便器３凹み底部の粉砕ポンプ５出口の片側に連結し、底部に収糞パイプ２２を接続する。収糞パイプ２２に通／断をコントロールする電磁弁９を設置し、収糞パイプ２２のあと一端は開放端として排泄物をシステム外に排出する。回路制御装置１はすべての電気具をコントロールする。【選択図】図１
2004521202.tif 000002
【特許請求の範囲】
【請求項１】
一種の洗浄便器は、大便器および粉砕ポンプを含み、
当該粉砕ポンプは大便器底部の出口凹み部に設置され、その特徴は改良された大便器と、回路制御装置とが含まれるからであり、そのうち、
当該改良された大便器はその前部に近い底面に糞便粉砕パイプを接続設置し、当該糞便粉砕パイプに糞便粉砕パイプの通／断をコントロールする電磁弁を設置し、当該糞便粉砕パイプは大便器凹み底部の粉砕ポンプ出口の片側に連結し、その底部に収糞パイプを接続し、当該収糞パイプに収糞パイプの通／断をコントロールする電磁弁を設置し、収糞パイプのあと一端は開放端として排泄物をシステム外に排出し、
当該回路制御装置は上述したすべての電気具をコントロールし、
上述した構造を組み合わせると、循環洗浄糞便粉砕構造を設置した本発明の洗浄便器が構成され、大便を洗浄する場合、回路制御装置のコントロールで洗浄液は大便器、粉砕ポンプ、糞便粉砕電磁弁、糞便粉砕パイプおよび大便器の間に形成された循環経路で強制的循環を形成し、大便器便器中の糞便を粉砕ポンプに流し込んで粉砕し、且つ洗浄液と混合して糊状液体を形成し、回路制御装置のコントロールで収糞パイプの通／断をコントロールする電磁弁がＯＮし、粉砕ポンプが作動し、それによって大便器便器中の汚物は粉砕ポンプ、電磁弁および収糞パイプを通って便器システム外に排出され、循環洗浄構造によって水の用量が大きく減少し、目立った節水機能があることを特徴とする洗浄便器。
【請求項２】
大便器前部に、洗浄パイプを接続し、当該洗浄パイプにその通／断をコントロールする電磁弁を設置し、当該電磁弁は回路制御装置にコントロールされ、当該洗浄パイプの一端は圧力のある洗浄液又は水源に接続し、あと一端の排出部ノズルはすべての汚物をきれいに洗浄可能である大便器の先端部に設置し、回路制御装置の制御指令により、電磁弁が開き、洗浄液は水源圧力に作用されて大便器の便器に流れ込んで洗浄を行うことを特徴とする請求項１記載の洗浄便器。
【請求項３】
大便器の前部に、洗浄液ポンプを接続固定し、大便器前部に洗浄パイプを設置し、当該洗浄パイプは開放口の排出ノズルを大便器の前部に設置し、あとの一端を洗浄液ポンプに接続固定し、洗浄パイプは一端を洗浄液又は水源に接続し、あと一端の排水部ノズルをすべての汚物をきれいに洗浄可能である大便器の先端部に設置し、洗浄液は洗浄液ポンプに作用されて大便器便器に流れ込むことを特徴とする請求項１記載の洗浄便器。
【請求項４】
尿液収集装置を含み、当該尿液収集装置は収尿パイプ、収尿タンクおよび回路制御装置を含み、そのうち、
当該収尿パイプは大便器の後底部排出出口凹み部の片側に接続設置し、その底部に収糞パイプを接続設置し、当該収糞パイプにパイプの通／断をコントロールする電磁弁を設置し、且つ収尿パイプのあと一端を延伸して収尿タンクに設置し、収尿パイプにパイプの通／断をコントロールする電磁弁を設置し、
当該集尿タンクは密閉状タンクで、その中に収尿パイプと洗浄液ポンプとを設置し、
上述した構造を組み合わせると、本発明の無水源洗浄システム、すなわち、尿液収集装置を設置した循環洗浄糞便粉砕洗浄便器を構成し、その回路制御装置のコントロールで収尿電磁弁が開き、粉砕ポンプは作動せず、このとき、尿液は大便器後底部排出出口の凹み部から粉砕ポンプ、収尿パイプおよび収尿電磁弁を経由して収尿タンクに流れ込み、それによって固体と液体の分離が実現され、当該収尿装置により大便器の自動洗浄を知能的にコントロールする機能を具えることを特徴とする請求項１記載の洗浄便器。
【請求項５】
薬液自動添加装置を増設し、当該薬液自動添加装置は薬液タンクおよび回路制御装置より組成され、そのうち、
当該薬液タンクは収尿タンクの上部に設置し、薬液タンクに薬液が貯蔵され、薬液タンクの底部に薬液導管を接続し、当該薬液導管のあと一端は収尿タンクに接続固定し、又は、導尿パイプに接続して収尿タンクに連結することが可能であり、当該導尿パイプに回路制御装置を設置し、導尿パイプの通／断をコントロールする電磁弁をコントロールし、
当該回路制御装置は、上述した電気具と電磁弁をコントロールし、
上述した構造を組み合わせると、本発明の薬液自動添加装置を設置した無水源洗浄システム洗浄便器を構成し、回路制御装置のコントロールで尿液を回収するに当たって薬液電磁弁は開き、薬液タンク中の薬液は大便器出口部から流れ出した尿液に混ざって便器を洗浄する混合洗浄液となり、これによって尿液の悪臭は消され、環境保護薬液を自動添加し、悪臭を解消する機能があることを特徴とする請求項１記載の洗浄便器。
【請求項６】
二重ポンプ洗浄装置を設置し、当該二重ポンプ洗浄装置は上層洗浄液ポンプ、下層液導管、澄まし液導管および回路制御装置を含み、そのうち、
当該下層洗浄液ポンプは上層洗浄液ポンプ下部および収尿タンクの底部に設置され、少々高い位置に設置された上層洗浄液ポンプと二重ポンプ洗浄構造を形成し、
当該下層液導管はその上端に下層液ノズルがあり、当該下層液ノズルは大便器の底面に接続固定し、その下端は下層洗浄液ポンプに接続し、
当該澄まし液導管はその上端は大便器先端部の洗浄液排出部ノズルに接続固定し、あとの一端は澄まし液ポンプに接続し、
当該回路制御装置は上述した電気具をコントロールし、
上述した構造を組み合わせると、本発明の二重ポンプ洗浄装置を設置した無水源洗浄システム洗浄便器を構成し、回路制御装置のコントロールで下層洗浄液ポンプは収尿タンク下層の尿液沈殿物を抽出し、下層液ノズルを通じて大便器後部の尿糞貯蔵部に噴出して大便器を洗浄し、そして、澄まし液ポンプは収尿タンクの上層から尿液澄まし液を抽出し、澄まし液ノズルを通じて大便器後部の糞尿貯蔵部に噴出して大便器を再度洗浄し、それによって大便器はきれいに洗浄され、尿液沈殿物を残さない機能があることを特徴とする請求項４記載の洗浄便器。
【請求項７】
集中ノズル構造を増設し、当該集中ノズル構造は前述した下層洗浄液ポンプの下層液導管の上端部に逆止め弁を接続し、当該逆止め弁は糞便粉砕パイプに接続し、且つ両者は並列して頂上部にある下層液ノズルに連結し、上述した構造を組み合わせると、集中ノズル構造と二重ポンプ洗浄装置を設置した本発明の無水源洗浄システム洗浄便器を構成することを特徴とする請求項６記載の洗浄便器。
【請求項８】
人体探測装置を増設し、当該人体探測装置は便所に取り付けた光電探測装置、受身式人体赤外探測器、便所の床下に取り付けた圧力センサー又は便所のドアロックやドア鍵に取り付けた行程スイッチなどの多様化した探測装置があり、上述した構造を組み合わせると、身体探測装置を設置した本発明の洗浄便器を構成し、以上の探測装置の作動状態はいずれも便所で洗浄便器を使っている人がいるかどうかを検知することが可能であり、且つそれは回路制御装置にコントロールされることを特徴とする請求項７記載の洗浄便器。
【請求項９】
水位感応装置を増設し、当該水位感応装置は水位センサーを含み、当該水位感応装置は収尿タンクの適当な位置に設置し、上述した構造を組み合わせると、水位感応装置を設置した本発明の無水源洗浄システムの洗浄便器を構成することを特徴とする請求項８記載の洗浄便器。
【請求項１０】
人体探測措置と回路制御装置での大小便自動識別方法があり、当該大小便自動識別方法はまず用便時間を記録し、探測装置からの用便者が便所に入った信号から計時を始め、当該計時は探測装置が用便者が離れた信号を提供するまで続き、回路制御装置は計時装置の計時した時間の長さにより大小便を識別し、すなわち、便所の利用時間がある特徴値ｔ０より短い場合、用便者は大便ではないと肯定可能であり、用便者は小便が特別に長いケースもあるが、大便ではない延べ人数を依然として正確に識別することが可能であることを特徴とする請求項９記載の洗浄便器。
【請求項１１】
大小便を識別する大小便自動識別装置を設置し、当該大小便自動識別装置は回路制御装置、探測装置および回路制御装置に内蔵された大小便を識別するプログラム回路を含み、当該探測装置はセンサーとして設置され、且つ回路制御装置の入力端に接続し、探測された信号を回路制御装置に伝送することを特徴とする請求項１０記載の洗浄便器。
【請求項１２】
排泄物一時貯蔵装置を設置し、当該排泄物一時貯蔵装置は収糞タンクを含み、当該収糞タンクは大便器収糞パイプ下端の出口に設置した密閉状タンクであり、上述した構造を組み合わせると、排出をコントロール可能である本発明の円状便器を構成することを特徴とする請求項１１記載の洗浄便器。
【請求項１３】
収糞タンクにおける糞便排出ポンプを増設し、当該糞便排出ポンプは収糞タンクのタンク底部に設置し、当該糞便排出ポンプは排出パイプを接続し、且つ当該排出パイプを収糞タンクの外まで延伸し、その出口部を外部の収集場所に接続し、
上述した構造を組み合わせると、排出を電気制御する本発明の洗浄便器を構成し、大便器内の糞液は粉砕ポンプで収糞タンクに流れ込んで貯蔵され、適当な時期に糞便排出ポンプにより排出パイプから外部に排出されることを特徴とする請求項１２記載の洗浄便器。
【請求項１４】
回路制御装置は、人体探測措置、収糞タンク水位センサー、収尿タンク水位センサー、制御回路、上層温度センサー、下層温度センサー、粉砕ポンプモーター、収尿電磁弁、収糞電磁弁、糞便粉砕電磁弁、薬液添加電磁弁、上層洗浄液ポンプ、下層洗浄液ポンプ、糞便排出ポンプ、便所内照明灯、使用中指示ランプ、換気扇、凍結防止加熱器および熱風ファンを含み、そのうち、
当該タンク水位センサー、収尿タンク水位センサー、制御回路、上層温度センサー、下層温度センサーおよび人体探測装置はいずれもセンサーであり、
当該ポンプモーター、収尿電磁弁、収糞電磁弁、糞便粉砕電磁弁、薬液添加電磁弁、上層洗浄液ポンプ、下層洗浄液ポンプ、糞便排出ポンプ、便所内照明灯、使用中指示ランプ、換気扇、凍結防止加熱器および熱風ファンは実行部品であり、
当該制御回路は上述した各センサーから送られてきた水位、温度および用便者の有無情報を受信し、回路制御装置によりどの実行部品が何時作動するか、作動時間の長さおよび作動回数を決定することを特徴とする請求項１３記載の洗浄便器。
【請求項１５】
回路制御装置は、第一部の直流電源回路部分Ｉ、第二部分のセンサー接続口部分II、第三部分の制御回路部分IIIおよび第四部分の実行部品駆動回路部分IVを含み、各センサーはセンサー接続口IIを通じて信号を制御回路IIIに送り込み、制御回路の計算および判断によって信号を実行部品駆動回路IVに送り出し、そして、駆動回路IVの出力増幅により各実行部品の運転および作業を推し進めることを特徴とする請求項１〜１４の任意一つに記載の洗浄便器。
【請求項１６】
回路制御装置があり、そのうち、
当該直流電源回路部分Ｉは二重二次変圧器、ブリッジ整流回路、三端末均圧器とその保護回路ダイオードおよびウェーブフィルター回路により組成され、交流電源を変圧器の一次に入力し、二次より低圧交流を二つ出力し、それをブリッジ整流回路に入力してパルス直流電に変え、フィールターを通過して直流電にし、それから三端末均圧器とウェーブフィルターを経て５ｖ直流電となり、共地された直流+５ｖ電圧を二つ出力し、
当該中核制御回路部分IIIはシングルチップマイコンとその付属回路によって組成され、当該付属回路は作動周波数を提供する水晶発振器および電流を流す時の再設定用抵抗とコンデンサーを含み、
当該シングルチップマイコン回路はモジュール転換器で当該センサーから送られてきた電圧模擬信号をデジタル信号に転換し、外部時計／カウンター機能で水位センサーから送られてきたパルス信号に対する周波数測定を行い、内蔵された高位入力機能で人体探測スイッチ信号を識別し、ロジック判断を行ったうえで相応の実行部品駆動回路に指令を発し、
当該センサーの接続回路IIおよび人体探測装置接続口回路は接続端子とコンデンサーにより組成され、シングルチップマイコンに接続して用便者の有無を判断し、
当該水位センサーはその接続口の接続端子を四ゲート又は非同等ゲート集積回路に接続してシングルチップマイコンに連結し、水位センサーから送られてきた矩形波信号の周波数で水位の高低を判断し、
当該温度センサーはその続端口回路が接続端子とコンデンサーとを含み、シングルチップマイコンに接続し、温度センサーから送られてきた電圧値で温度の高低を判断し、
当該実行部品駆動回路IVは十三路まったく同じ駆動ユニットから構成され、当該駆動ユニットはいずれも光結合駆動回路、高パワー水晶スイッチ管、保護役割の高耐圧コンデンサーおよび圧抵抗を含み、そのうち、
光結合駆動回路はその入力端をシングルチップマイコンの信号出力端と+５ｖとに接続し、光結合の出力端を高パワー水晶スイッチ管の入力端に接続し、
当該高パワー水晶スイッチ管はその出力端を並列の高耐圧コンデンサー、圧抵抗および実行部品に接続し、
上述した十三路実行部品駆動ユニットの入力端をシングルチップマイコンの１３本出力フットに接続し、その出力端をそれぞれ粉砕ポンプモーター、収入電磁弁、収糞電磁弁、糞便粉砕電磁弁、薬液添加電磁弁、上層洗浄液ポンプ、下層洗浄液ポンプ、糞便排出ポンプ、便所内照明灯、使用中指示ランプ、換気扇、凍結防止加熱器および熱風ファンに接続し、シングルチップマイコンの相応フットにより相応の実行部品をコントロールすることを特徴とする請求項１５記載の洗浄便器。
【発明の詳細な説明】
【技術分野】
【０００１】
本発明は、水、廃水、汚水或いは泥かすの処理分野に関わる処理装置に関し、特に、尿液および糞便の処理に使われる洗浄便器である。それは、糞便の循環洗浄構造、尿液の収集装置、沈殿累積を防ぐ二重ポンプの洗浄装置および大小便自動識別方法とその装置から構成された無水源洗浄システムの洗浄便器を指す。当該無水洗浄便器は尿液を洗浄液として便器をきれいに洗浄し、汚物の悪臭を消し、排出をコントロールできるほか、使用者は何も操作せずに便器の正常洗浄と運転が実現される。これは実用性と進歩性を具えた新しい技術として産業界の推進と応用に適用されるものである。
【背景技術】
【０００２】
衛生器具における洗浄便器は、人々にとって切っても切れない密接な関係にある。人々は近距離旅行にしても、遠距離旅行にしても、交通機関に乗り、又は、ホテルに泊まるにしても便所を離れることはできない。旅行便所の周りには水源がないのは普通で、特に、辺鄙な山中はそうである。この場合の便所は、水源がないためにひどく汚いか、限られた容積の水槽を配備しても、水を節約しなければならないため、汚くて臭いのは避けられないほか、糞尿汚物の排出も頭の痛い環境問題である。水源に恵まれたところでも水洗便所は例外なく依然として環境問題となっている。もし、使用者が用便を済まして自覚的に水を流さなかった場合、便所の衛生を保つには便所管理者が必要になってくる。
【０００３】
上述問題から、業界は循環水を応用した節水型便所を改良した。そのうち、典型的な例として、公衆便所自動洗浄水循環処理装置が挙げられる（特許文献１参照）。それは、便器と糞便分解池との間に設置された吸水井戸、投薬槽、循環ポンプ、濾過池、排水槽、高位水槽、電源、電源制御器、電子時計および水位制御器からなる自動制御部分から組成された公衆便所自動洗浄水循環処理装置であり、大小便を自動的に洗浄し、水資源を節約できる実用的なものであるが、使用中に次のような構造上の欠陥があった。
１、当該公衆便所の自動洗浄水循環処理装置は節水においていろいろと工夫されているが、水源と離れることができないため、その節水効率は知れたものである。
【０００４】
２、現有の一部循環水を使っている公衆便所はほとんどが濾過を必要とするため、濾過装置を新たに設置し、且つフィルターの常時保養と更新に人力を費やし、コスト増につながり、コスト効率に一致しない。
３、循環水を使っている便所でも、その循環水を常に更新しなければならないため、きわめて不便であり、人々の需要を満たすこともできない。
【０００５】
洗浄便所によく見かける糞便と紙が詰まり易い問題を解決するため、業界は糞便を粉砕できる便所を開発した。その典型的なものに電動糞便分解座便器が挙げられる（特許文献２参照）。それは、モーター、粉砕ポンプ、注水電磁弁、タイマー、ケース、給水パイプおよび排泄パイプなどを主に含み、糞便や紙を粉砕してポンプで吸い出す機能を持ち、糞便分解池がなくても糞便や雑物が十分に流動し、より順調に洗浄できるが、使用中に次のような欠陥があった。
１、当該電動糞便分解座便器は普通の洗浄便器に比べて水を余計に使うため、節水の要求に一致しない。
【０００６】
２、当該電動糞便分解座便器は大量の汚物を排出するため、環境保護の減量化要求に一致しない。
３、当該電動糞便分解座便器は汚物の悪臭除去および消毒機能がないため、環境保護の無害化要求に一致しない。
【０００７】
便器洗浄の節水要求と環境保護の需要を満たすため、関連メーカーはその解決に知恵を絞り、更新を図り、ポリ袋梱包式の洗浄不要便器を先ごろ開発した。それは、ポリ袋装置で糞尿汚物を収集して集中処理する方法である。当該ポリ袋梱包式の洗浄不要便器は水で洗浄しない便器としてその進歩性は確かにあるが、実際の使用にあたって若干の構造的欠陥があったため、当該ポリ袋梱包式の洗浄不要便器は好ましい実用効果を達することができなかった。その欠陥は次の通りに纏めることができる。
【０００８】
１、当該ポリ袋梱包式の洗浄不要便器は水を使わないが、プラスチック製梱包器具で糞尿汚物を収集して集中処理するため、梱包器具を新たに設置しなければならない。それによりコストアップをきたし、コスト効率に一致しない。
【０００９】
２、当該ポリ袋梱包式の洗浄不要便器は一人当たりの使用コストが高いため、全体的にコストアップをきたし、使用者の便器製品に対する経済実用性の要求に一致しない。また、経済効率が悪く、実用的ではない。
【００１０】
３、当該ポリ袋梱包式の洗浄不要便器は、それより生じたポリ袋と糞尿混合汚物、特に、ポリ袋が分解できないのが主な欠陥である。また、集中された糞尿は無害化処理を経ていないため、利用できず、環境保護の要求に一致せず、産業的に利用する価値がない。
【００１１】
洗浄便器の節水と環境保護の需要を満たすため、関連メーカーはその開発に取り組んできたが、節水で環境保護の要求を満たし、そして、経済的で実用的な設計が未だに完成されていない。一般製品は上述の多様化機能を具えていないため、関連業界はコストが低く、節水できる環境保護型の経済実用の多様化機能を具えた洗浄便器を開発することを目指している。これからも分るように、現有の上述洗浄便器はいずれも諸欠陥を抱えており、それを一段と改良していかなくてはならない。
【００１２】
以上に述べた現有洗浄便器の欠陥について、本発明者は当種類製品に対する長年の設計および製造経験と豊かな知識を最大限に生かし、市場にある通常の洗浄便器と違った真新しい構造の洗浄便器の設計開発に取り組み、弛まぬ研究および設計とサンプル製造を繰り返し行った結果、ついに実用価値を具えた本発明を開発したのである。
【００１３】
【特許文献１】中国発明特許公告番号ＣＮ２０３４１７１Ｕ
【特許文献２】中国特許公告番号ＣＮ２１０２９６０Ｕ
【発明の開示】
【発明が解決しようとする課題】
【００１４】
本発明の解決した主な技術問題は、現有の洗浄便器の抱える欠陥を克服し、真新しい構造の洗浄便器を作り出したことである。つまり、排出された洗浄液を大便器の洗浄に再度循環使用し、いままでの糞便粉砕便器が水を大量に使う弊害を克服し、節水の目的を最大限に実現したことである。
【００１５】
本発明の解決した次の技術問題は、便器の洗浄に大小便時の尿液を収集できる便器を作り出したことである。つまり、尿液を収集する機能を具えているほか、元来の洗浄、糞便排出および糞便粉砕などの機能に影響しない廃物を便器洗浄に利用した優れた無水洗浄機能を具えた洗浄便器でなければならない。
【００１６】
本発明で解決した三番目の技術問題は、薬液の自動添加装置を設置した便器を作り出したことである。つまり、薬液貯蔵タンクから環境保護薬液をパイプで収尿タンクに導入し、電磁弁でその通／断をコントロールし、環境薬液の自動添加機能を具えた洗浄便器でなければならない。
【００１７】
本発明で解決した四番目の技術問題は、二重ポンプを利用して尿液貯蔵タンクの違った高さから液体を抽出できる洗浄便器を作り出すことである。つまり、まず沈殿を含んだ下層液体で便器を洗浄し、それから上層の澄まし液体で沈殿物を洗浄する。このように大便器を洗浄することによって、沈殿物を利用して沈殿物の累積を防ぐことができる。また、尿液による便器の洗浄に当たって、便器はきれいに洗浄され、尿液の沈殿や累積を防ぐ機能がある。
【００１８】
本発明で解決した五番目の技術問題は、大小便を自動識別できる方法と装置を具えた洗浄便器を作り出すことである。つまり、用便を足す大勢の人の行為から大小便を識別し、それぞれ違ったパターンで自動的に大小便に対する処理を行い、人工識別の煩雑と不確実性を避けることができる。
【００１９】
本発明で解決した六番目の技術問題は、無水洗浄便器システムを設置した洗浄便器を作り出すことである。つまり、洗浄便器システムは如何なる水源に頼らず、人口注水にも頼らずに大便器を洗浄できるほか、便所と排出物の無臭化を実現し、清掃およびメンテナンスを簡単に行うことができる。また、環境問題で排出できない場合、当該洗浄便器システムは任意に排出できる汚物を一時溜めておくことができる。
【課題を解決するための手段】
【００２０】
本発明で解決した主な技術問題は、つぎの技術方案を採用することによって実現されている。本発明によって提出された洗浄便器は大便器と粉砕ポンプとを含む。当該粉砕ポンプは大便器底部の出口凹み部に設置し、モーター、遠心ファンおよび粉砕刃物などの部品から組成される。遠心ファンは大便器の汚物を吸い取り、粉砕ポンプの出口から吹き出す。出力軸の頂上部に設置した粉砕刃物は粉砕ポンプ本体に入ってきた固形物を粉砕する。その特徴は、それに含まれる改良された大便器と回路制御装置である。そのうち、改良された大便器はその正面に近い底面に糞便粉砕パイプを接続する。当該糞便粉砕パイプに通／断をコントロールする電磁弁を設置する。当該糞便粉砕パイプは大便器の凹み底部にある粉砕ポンプ出口の片側に接続し、その底部に糞便収集パイプを接続設置する。当該糞便収集パイプに糞便収集パイプの通／断をコントロールする電磁弁を設置し、糞便収集パイプのあと一端は排出口として排泄物をシステム外に排出する。当該回路制御装置は上述すべての電気具の用電をコントロールする。上述構造を組み合わせると、本発明の循環洗浄糞便粉砕構造を設置した洗浄便器を構成する。大便を洗浄する場合、回路制御装置のコントロールで洗浄液は大便器、粉砕ポンプ、糞便粉砕電磁弁、糞便粉砕パイプおよび大便器の間に形成された環状経路の強制的循環が形成され、大便器にある糞便は粉砕ポンプIIに流れ込んで粉砕され、そして、洗浄液と混合されて糊状の液体となる。回路制御装置のコントロールで糞便収集パイプの通／断をコントロールする電磁弁がＯＮし、粉砕ポンプが稼動し、大便器にある汚物は粉砕ポンプ、電磁弁および糞便収集パイプを通って、便器システム外に排出される。循環洗浄構造は水の使用量が大幅に減り、目だった節水機能がある。
【００２１】
また、本発明で解決したその他技術問題は、次のような技術措置を採用することによって実現している。
前述洗浄便器は、その大便器の前部に洗浄パイプを接続する。当該洗浄パイプにその通／断をコントロールする電磁弁を設置し、当該電磁弁は回路制御装置でコントロールする。当該洗浄パイプは一端を圧力のある洗浄液あるいは水源に接続し、あと一端の排水ノズルを洗浄液がすべての汚物を洗浄できる大便器の先端部位に設置する。そして、回路制御装置のコントロール指令で電磁弁が作動し、洗浄液は水圧の作用で大便器に流れ込んで洗浄を行う。
【００２２】
前述した洗浄便器はその大便器の前部に洗浄ポンプを接続固定し、大便器前部に洗浄パイプを設置する。当該洗浄パイプは排出部ノズルを大便器の前部に設置し、あと一端を洗浄液ポンプに接続固定する。洗浄パイプは一端を洗浄液あるいは水源に接続し、あと一端の排出ノズルを洗浄液がすべての汚物を洗浄できる大便器の先端部に設置する。
【００２３】
前述洗浄便器は尿液収集装置を含む。当該尿液収集装置は収尿パイプ、収尿タンクおよび回路制御装置を含む。
当該収尿パイプは大便器の後底部排出口の凹み部位の片側に接続設置し、その底部に収糞パイプを接続設置する。当該収糞パイプにパイプの通／断をコントロールする電磁弁を設置し、且つ当該収尿パイプのあと一端を延伸して収尿タンクに設置し、収尿パイプにパイプの通／断をコントロールする電磁弁を設置する。当該収尿タンクは密閉状タンクで、その中に収尿パイプと洗浄液ポンプとを設置する。以上述べた構造を組み合わせたものが本発明の無水源洗浄システム、すなわち、尿液収集装置を設置した循環洗浄糞便粉砕洗浄便所を構成する。その回路制御装置は収尿電磁弁をＯＮに、粉砕ポンプをOＦＦにコントロールし、尿液は大便器底部排出口の凹み部位より粉砕ポンプ、収尿パイプおよび収尿電磁弁を通って収尿タンクに流れ込み、これによって、尿液の収集が実現される。粉砕ポンプが作動しないとき、大便は阻まれて収尿タンクに流れ込めないため、固体と液体の分離が実現される。したがって、当該尿液収集装置はそのほかに大便器の自動洗浄を知能的にコントロールする機能も兼ねている。
【００２４】
前述した洗浄便器は薬剤自動添加装置を設置することができる。当該薬液自動添加装置は薬液タンクと回路制御装置とから組成される。
当該薬液タンクは収尿タンクの上部に設置する。当該薬剤タンクに薬液を貯蔵し、薬液タンクの底部に薬液導入パイプを接続設置する。当該薬液導入パイプのあと一端は収尿パイプに直接接続固定し、あるいは、導尿パイプを介して収尿タンクに接続する。導尿パイプに回路制御装置で薬液導入パイプの通／断をコントロールする薬液添加電磁弁を設置する。当該回線制御措置は上述電気具と電磁弁とをコントロールする。上述した構造を組み合わせると、本発明の薬液自動添加装置を設置した無水源洗浄システム洗浄便器を構成する。回路制御装置の作動により、尿液の回収に当たって薬液添加電磁弁はＯＮし、薬液タンク中の薬液は大便器出口部位から流れ出る尿液と混ざって便所を洗浄する混合洗浄液となり、尿液の悪臭が消されるほか、環境保護の薬液を自動添加し、悪臭を消す機能がある。
【００２５】
前述の洗浄便所は二重ポンプ洗浄装置を設置することができる。当該二重ポンプ洗浄装置は上層洗浄液ポンプ、下層洗浄液ポンプ、下層液導管、澄まし液導管および回路制御装置を含む。
【００２６】
当該下層洗浄液ポンプは、上層洗浄液ポンプの下部に設置し、収尿タンクの底部に位置し、少々高い位置にある上層洗浄液ポンプと二重ポンプ洗浄構造を形成する。当該下層液導管はその上端が下層液ノズルである。当該下層液ノズルは大便器の底面に接続固定し、下端は下層洗浄液ポンプに接続する。当該澄まし液導管はその上端が大便器先端部の澄まし液排出ノズルに接続固定し、あとの一端が澄まし液洗浄ポンプに接続する。当該回路制御装置は上述した電気部品をコントロールする。上述した構造を組み合わせると、本発明の二重ポンプ洗浄装置を設置した無水源洗浄システム洗浄便所を構成する。回線制御装置のコントロールにより、下層洗浄液ポンプは収尿タンク下層の尿液沈殿物を抽出し、下層液ノズルから大便器後部の糞尿貯蔵部に噴出して大便器を洗浄する。それから、澄まし液ポンプは収尿タンクの上層から尿液の澄まし液を抽出し、澄まし液ノズルから同じく大便器後部の糞尿貯蔵部に噴出して、大便器を再度洗浄する。これによって、大便器はきれいに洗浄され、尿液沈殿物を残さない機能がある。
【００２７】
前述した洗浄便所は集中ノズル構造を設置することができる。当該集中ノズル構造は前に述べた下層洗浄液ポンプの下層液導管の上端部に逆止め弁を接続設置する。当該逆止め弁は糞便粉砕パイプとともに頂上部にある下層液ノズルに通じるように並列に接続する。上述した構造を組み合わせると、本発明の集中ノズル構造と二重ポンプ洗浄装置を設置した無水源洗浄システム洗浄便器を構成する。当該逆止め弁によって、下層洗浄液ポンプの収尿タンクから抽出した液体を当該弁を通してノズルから大便器に噴出することができるが、大便器と糞便粉砕パイプにある液体は収尿タンクに逆流することはできない。
【００２８】
前述した洗浄便器は人体探測装置を設置することができる。当該人体探測装置は、本発明の洗浄便所を使っている人がいるかどうかを回路制御装置が探知できるように便所内の適当位置に設置する。当該探測装置は便所内に取り付けた光電探測装置、受身式人体赤外線探測器、便所の床下に取り付けた圧力センサー、便所のドアロック又は鍵に取り付けた行程スイッチなどのいろいろな探測装置であることができる。上述した構造を組み合わせると、本発明の人体探測装置を設置した洗浄便所を構成する。以上の探測装置はいずれも便所で洗浄便器を使っている人がいるかどうかを探知し、回路制御装置でそれをコントロールすることができる。
【００２９】
前述した洗浄便器は水位感応装置を設置することができる。当該水位感応装置は水位センサーを含む。当該水位センサーは収尿タンクの適当な位置に設置する。上述構造を組み合わせると、本発明の水位感応装置を設置した無水源洗浄システムの洗浄便器を構成する。
【００３０】
前述した洗浄便器はその人体探測装置と回路制御装置による大小便自動識別装置とを設置することができる。当該大小便自動識別方法は、まず探測装置の提供した用便者が便所に入った信号から用便時間を記録する。当該計時は探測装置が用便者が便所を離れた信号を提供するまで続く。回路制御装置は計時装置の計時した時間の長さによって、大小便を識別する。すなわち、便所の使用時間がある特徴値ｔ０より短い場合、便所の使用者は大便を足しているのではないと判断される。個別の人は小便がかなり長引くが、それでも大便ではない延べ人数を正確に識別することができる。
【００３１】
前述した洗浄便器は排泄物一時貯蔵装置を増設することができる。当該排泄物一時貯蔵装置は収糞タンクを含む。当該収糞タンク装置は大便器の収糞パイプの下端出口に設置した密閉状タンクである。上述した構造を組み合わせると、本発明のコントロールできる洗浄便器を構成する。
【００３２】
前述した洗浄便器は前に述べた収糞タンクに糞便排出ポンプを増設することができる。当該糞便排出ポンプは出口を収糞タンクの底部に設置する。当該糞便排出ポンプは排出パイプを糞便排出タンクの出口まで延伸して接続し、その出口部位を外部の収集場所に接続する。上述した構造を組み合わせると、本発明の排出を電気コントロールできる洗浄便器を構成する。大便器内の糞液は粉砕ポンプから収糞タンクに流れ込んで貯蔵され、適当な時期に糞便排出ポンプより排出パイプで外部に排出される。これによって、電気コントロールによる排出が実現される。
【００３３】
前述した洗浄便器はそれに言う制御回線部分は人体探測装置、収糞タンク水位センサー、収尿タンク水位センサー、制御回路、上層温度センサー、下層温度センサー、粉砕ポンプモーター、収尿電磁弁、収糞電磁弁、糞便粉砕電磁弁、薬液添加電磁弁、上層洗浄液ポンプ、下層洗浄液ポンプ、糞便排出ポンプ、便所内照明灯、使用中指示ランプ、換気扇、凍結防止加熱器および熱風ファンを含む。
【００３４】
当該収糞タンク水位センサー、収尿タンク水位センサー、上層温度センサー、下層温度センサーおよび探測装置はいずれもセンサーである。当該粉砕ポンプモーター、収尿電磁弁、収糞電磁弁、糞便粉砕電磁弁、薬液添加電磁弁、上層洗浄液ポンプ、下層洗浄液ポンプ、糞便排出ポンプ、便所内照明灯、使用中指示ランプ、換気扇、凍結防止加熱器および熱風ファンは実行部品である。当該制御回路は上述した各センサーから伝えられた水位、温度および用便者有無の情報を電気回線プロセスが判断し、どの実行部品が何時作動するか、作動時間の長さおよび作動回数などを決める。
【００３５】
前述した洗浄便器の電気回路制御装置は第一部分の直流電源電気回路部分Ｉ、第二部分のセンサー接続口部分II、第三部分の制御電気回路IIIおよび第四部分の実行部品駆動電気回路部分IVを含み、駆動電気回路IVの出力増幅によって各実行部品の運転と作動を推し進める。
【００３６】
前述した洗浄便器の電気回路制御装置のうち、当該直流電源電気回路部分Ｉは、二重二次変圧器、ブリッジ整流回路、三端末均圧器とその保護回路ダイオードおよびウェーブフィルター回路より組成される。交流電源を変圧器の一次に入力し、二次より低圧交流を二つ出力し、それをブリッジ整流回路に入力してパルス直流電に変え、そして、ウェーブフィルター回路を経て直流電にする。その直流電は三端末均圧器とウェーブフィルターを経て５ｖの直流電となって、共地される直流＋５ｖ電圧を二つ出力する。当該中核制御回路部分IIIはシングルチップマイコンとその付属回路より組成される。当該付属回路は提供された作動サイクルの水晶発振器、高パワー再設定用抵抗およびコンデンサーを含む。当該シングルチップマイコン回路はモジュール転換器を利用して、温度センサーから送られてきた電圧模擬信号をデジタル信号に転換し、外部時計／カウンター機能を利用して、水位センサーから送られてきたパルス信号に対する周波数測定を行い、内蔵された高位入力機能で人体探測スイッチ信号を識別し、ロジック判断を通じて相応の実行部品駆動回路に指令を発する。当該センサーの接続口回路IIは、人体探測装置接続口回路が接続端子とコンデンサーより組成され、シングルチップマイコンに接続して用便者の有無を判断する。当該水位センサーはその接続口の接続端子を ゲート又は非同等ゲート集積回路に接続して、シングルチップマイコンに連結し、水位センサーから送られてきた矩形波信号の周波数で水位の高さを判断する。当該温度センサーはその接続回路が接続端子とコンデンサーとを含み、シングルチップマイコンに接続し、温度センサーから送られてきた電圧値で温度の高さを判断する。当該実行部品駆動回路IVは十三路全く同じ駆動ユニットから構成される。当該駆動ユニットはいずれも光器都合駆動回路、高パワー水晶スイッチ管、保護役割の高耐圧コンデンサーおよび圧抵抗を含む。
【００３７】
当該光結合駆動回路はその入力端をシングルチップマイコンの信号出力端と＋５ｖに接続し、光結合の出力端を高パワー水晶スイッチ管の出力端に接続する。当該高パワー水晶スイッチ管はその出力端を並列の高耐圧コンデンサー、圧抵抗および実行部品に接続する。上述の十三路実行部品駆動ユニットの入力端をシングルチップマイコンの１３本の出力フットに接続し、その出力端をそれぞれ粉砕ポンプモーター、収尿電磁弁、収糞電磁弁、糞便粉砕電磁弁、薬液添加電磁弁、上層洗浄液ポンプ、下層洗浄液ポンプ、糞便排出ポンプ、便所内照明灯、使用中指示ランプ、換気扇、凍結防止加熱器および熱風ファンに接続し、シングルチップマイコンは相応フットで相応の実行部品をコントロールする。
【発明を実施するための最良の形態】
【００３８】
本発明の洗浄便器について、その具体的実施方法、構造、特徴およびその機能を図面とその最良実施例にあわせて詳しく説明する。
図１は本発明の循環洗浄糞便粉砕構造Ａを設置した洗浄便器の第一実施例である。当該洗浄便器は、主に、大便器３、粉砕ポンプ５、洗浄液ポンプ２８および回路制御装置１から成る。そのうち、当該大便器３はその後部出口凹み部の片側に粉砕ポンプ５を接続設置し、その前部に洗浄液ポンプ２８を接続設置する。大便器３の前面近くの底面に糞便粉砕パイプ８を接続する。当該糞便粉砕パイプ８の糞便粉砕ノズル１３は開放状をなし、大便器３の前底部の大便に向かった位置に設置固定する。糞便粉砕パイプ８に糞便粉砕パイプ８の通／断をコントロールする電磁弁１２を設置する。糞便粉砕パイプ８は大便器３凹みの底部にある粉砕ポンプ５の出口の片側に接続し、その底部に収糞パイプ２２を接続する。当該収糞パイプ２２に収糞パイプ２２の通／断をコントロールする電磁弁を設置する。収糞パイプ２２のあと一端は開放端として排泄物をシステム外に排出する。
【００３９】
当該粉砕ポンプ５は、大便器３底部の出口凹み部に設置固定し、モーター７、遠心ファン６および粉砕刃物４などの部品より組成される。
当該モーター７は大便器３の底部外側に設置固定する。その出力軸を大便器３底部の内側胴体を突き通るように設置し、遠心ファン６、粉砕刃物４の順序でそれに設置固定する。モーター７に電気を通すと、遠心ファン６と粉砕刃物４とは一緒に回転し、遠心ファン６の遠心作用で大便器３にある汚物を吸い込み、そして、粉砕ポンプ５の出口から外部に噴出す。この場合、出力軸の端に設置固定された粉砕刃物４は粉砕ポンプ５に入り込んだ固形物を粉砕する。
【００４０】
当該洗浄液ポンプ２８は大便器３の前部に設置し、その洗浄パイプ２０を大便器３の前部に設置する。当該洗浄パイプ２０の排出部ノズル１６は大便器３の前部に設置し、底部に洗浄液ポンプ２８を接続設置する。洗浄パイプ２０の一端は洗浄液或いは水源に接続し、あと一端の排出部ノズル１６は汚物をきれいに洗浄できる大便器３の先端部位置に設置する。洗浄液は洗浄液ポンプ２８の作用によって大便器３の便器に快速に流れ込むことができる。
当該回路制御Ｉは、上述した電気器具のすべてをコントロールする。
【００４１】
上述した構造の組み合わせると、循環洗浄糞便粉砕構造を設置した本発明の洗浄便器を構成する。
図１の示す通り、本発明の洗浄便器で大便を洗浄する場合、回路制御装置Ｉのコントロールで洗浄液ポンプ２８が作動し、一定量の洗浄液或いは水が洗浄パイプ２０の排出部ノズルから大便器３の便器内に流れ込み、それから粉砕ポンプ５が作動し、糞便粉砕パイプ８の通／断をコントロールする電磁弁１２がＯＮし、それによって、洗浄液は大便器３、粉砕ポンプ５、糞便粉砕電磁弁１２、糞便粉砕パイプ８および大便器３の循環経路の強制的な循環が形成される。当該循環が一定時間続いた後、大便器３便器中の糞便は粉砕ポンプ５に流れ込んで粉砕が始まり、且つ洗浄液と混合して糊状液体（図１の示す当該作業状態）となる。
【００４２】
上述作業が終わると、回路制御装置Ｉのコントロールで、収糞パイプ２２の通／断をコントロールする電磁弁９がＯＮし、それによって粉砕ポンプ５が作動し、大便器３便器中の汚物は粉砕ポンプ５、電磁弁９および収糞パイプ２２を通じて便器システム外に排出される。それと同時に、大便器３便器の底部に残留した一部固形物を含んだ糊状糞便泥は、洗浄液ポンプ２８を再度作動することによって、洗浄液が洗浄液ポンプ２８に作用されて大便器３の前部に接続された洗浄パイプ２０の排出部ノズル１６から大便器３の便器に快速に流れ込み、便器をきれいに洗浄することができる。糞便粉砕便器は上述した循環洗浄の構造設計を加えると、大便洗浄に使う洗浄液の量を今までの６〜１２リットルから０．５リットルほどに減らしても最終洗浄効果に影響しないほか、循環洗浄構造によって用水量は大きく節約され、目立った節水効果がある。
【００４３】
図２は、循環洗浄糞便粉砕構造を設置した本発明の洗浄便器の第二実施例である。第一実施例構造とまったく同じであるが、洗浄パイプの洗浄構造を新たな洗浄構造方式に設計している。当該洗浄パイプ２０はその洗浄構造を洗浄パイプ２０の通／断をコントロールする電磁弁３８を設置するように設置することができる。電磁弁３８は回路制御装置Ｉの指令によってコントロールされる。当該洗浄パイプ２０はその一端が圧力のある洗浄液或いは水源に接続し、あとの一端を排出部ノズル１６としてすべての汚物をきれいに洗浄できる大便器３の先端部に設置する。回路制御装置Ｉの指令で電磁弁３８はＯＮし、洗浄液は圧力の作用によって大便器３の便器に快速に流れ込み、洗浄することができる。
【００４４】
図３は、本発明の洗浄便器の第三実施例である。上述した第一実施例および第二実施例の構造と同じであるが、尿液収集装置Ｂを設置しているため、本発明の尿液収集装置を設置した洗浄便器となる。当該洗浄便器を普通の糞便粉砕便器に据付設置した場合、それには、大便器３、粉砕ポンプ５および洗浄液ポンプ２８のほか、尿液収集装置Ｂを設置する。当該尿液収集装置Ｂは収尿パイプ１０、収尿タンク２６および回路制御装置１を含む。そのうち、当該大便器３、粉砕ポンプ５および洗浄ポンプ２８は第一実施例の構造と同じであるため、ここで触れないことにする。
【００４５】
当該集尿パイプ１０は大便器３の後底部排出口凹み部の片側に設置し、その底部に収糞パイプ２２を接続する。当該収糞パイプ２２にパイプの通／断をコンロトールする電磁弁１１を設置する。当該収尿パイプ１０はあと一端を収尿タンク２２に設置し、且つそれにパイプの通／断をコントロールする電磁弁１１を設置する。
収尿タンク２６は密閉状タンクで、その中に収尿パイプ１０と洗浄液ポンプ２８とを設置する。
【００４６】
当該回路制御装置Ｉは、上述のすべての電器具をコントロールする。
上述した構造を組み合わせると、尿液収集装置を設置した本発明の洗浄便器を構成する。
【００４７】
本発明の作動に当たって、当該装置を利用することによって知能大便器洗浄機能を実現することができる。大小便を足すときから大便器３を洗浄するまで、回路制御措置Ｉのコントロールでまず収尿電磁弁１１がＯＮし、粉砕ポンプ５は作動しない。尿液は重力作用で大便器３の後底部排出口の凹み部から粉砕ポンプ５、収尿パイプ１０および収尿電磁弁１１を経由して収尿タンク２６に流れ込み、尿液の収集が実現される。もし、大便器３の便器に大便があれば、収尿電磁弁１１は作動しないが、大便が流動しない上、粉砕ポンプ５が作動しないので、大便は阻まれ、収尿タンク２６になかなか流れ込めない。もしここで固体と液体の分離が実現できれば、大便中の尿液を有効に分離することができる。この場合、大便を洗浄するとき、回路制御装置Ｉのコントロールで洗浄液ポンプ２８が作動し、収尿タンク２６にある尿液が抽出され、大便器３前部を経て、洗浄液或いは水源に合流して洗浄パイプ２０の排出部ノズル１６から排出される。この場合、洗浄尿液と洗浄液とは洗浄ポンプ２８の作用によって大便器３の便器に快速に流れ込み、混合洗浄液で便器を快速に洗浄する。これによって、便器は容易にきれいに洗浄される。また同時に、収糞電磁弁は作動し、汚物は収糞パイプ２２から便器システム外に排出される。小便だけを洗浄する場合、大便器３の便器に大便がないため、すべての尿液と洗浄液はいずれも回収利用できる。収尿電磁弁１１は回路制御装置ＩのコントロールでＯＮし、すべての洗浄液を収尿タンク２６に回収する。当該尿液収集装置を設置したため、本発明は大便器自動洗浄の知能制御機能がある。
【００４８】
図４の示すとおり、本発明の第四実施例は、上述第三実施例の構造と同じ（図４は図３と同じ部分の構造を省略した）であるが、当該洗浄便器は上述第三実施例をベースに薬液自動添加装置Ｃを設置し、薬液自動添加装置を設置した本発明の洗浄便器を構成する。当該薬液自動添加装置Cは薬液タンク１７と回路制御措置Ｉより組成される。
【００４９】
当該薬液タンク１７は、図３の示すとおり、導尿パイプ１０の片側に設置し、薬液タンク１７には尿液を一定時間無臭に保つ環境保護の消毒薬液１８を貯蔵する。当該薬液タンク１７の底部に薬液導入パイプ１９を設置する。当該薬液導入パイプ１９の一端は収尿タンク２６に直接接続固定し、又は、導尿パイプ１０を介して収尿タンク２６に接続することができる。導尿パイプ１０と薬液タンク１７との間に回路制御装置Ｉにコントロールされる導尿パイプ１０の通／断をコントロールする薬液添加電磁弁１５を設置する。
当該回路制御装置Ｉは、上述電気具と電磁弁とをコントロールする。
【００５０】
上述した構造を組み合わせると、薬液自動添加装置を設置した本発明の洗浄便器を構成する。
本発明が稼動するに当たって、薬液導入パイプの通／断は薬液添加電磁弁１５にコントロールされ、薬液添加電磁弁１５は回路制御装置Ｉにコントロールされる。回路制御装置Ｉを利用すれば、尿液を回収する毎に薬液電磁弁１５は一回開き、薬液タンク１７に貯蔵された環境保護の消毒薬液１８は大便器３出口部から流れ出た尿液と混合して便器を洗浄する混合洗浄液となる。これによって、一定時間における尿液の悪臭は消され、環境保護薬液の自動添加と悪臭解消の機能がある。
【００５１】
図５の示すとおり、本発明の第五実施例は、上述第三実施例の構造と同じであるが、当該洗浄便器は上述第三実施例をベースに二重ポンプ洗浄装置Ｄを設置し、二重ポンプ洗浄装置を設置した本発明の洗浄便器を構成する。当該洗浄便器も、大便器３、粉砕ポンプ５、洗浄液ポンプ２８、収尿パイプ１０および収尿タンク２６を含む。当該大便器３、粉砕ポンプ５、洗浄液ポンプ２８、収尿パイプ１０および収尿タンク２６は上述第三実施例の構造と同じであるため、ここで触れないことする。
増設した当該二重ポンプ洗浄装置Ｄは上層洗浄液ポンプ２８、下層洗浄液ポンプ２７、下層液導管２１、澄まし液導管２０および回路制御装置Ｉを含む。
【００５２】
当該下層洗浄液ポンプ２７は上層洗浄液ポンプ２８の下部に増設し、且つ設置位置は収尿タンク２６の底部に位置し、やや高い位置にある上層洗浄液ポンプ２８と二重ポンプ洗浄構造を構成する。
【００５３】
当該下層液導管２１は、その上端が下層洗浄液ノズル４０である。当該下層洗浄液ノズル４０は大便器３の中部底面に接続固定し、その下端を下層洗浄液ポンプ２７に接続する。
当該澄まし液導管１０はその上端を大便器３の先端部の澄まし液排出部ノズル１６に接続し、あとの一端を澄まし液洗浄ポンプ２８に接続する。
【００５４】
当該回路制御装置Ｉは、上述の電気器具をコントロールする。
上述構造を組み合わせると、二重洗浄ポンプ洗浄装置を設置した本発明の洗浄便器を構成する。
【００５５】
本発明が稼動するに当たって、回路制御装置Ｉのコントロールで下層洗浄液ポンプ２７は収尿タンク２６下層の尿液沈殿物を抽出し、下層洗浄液導管２１を通って上に上げ、下層洗浄液ノズル４０に到達させて、大便器３後部の貯蔵部に噴出して、大便器３を洗浄する。そして、澄まし液ポンプ２８は収尿タンク２６の上層から沈殿済み尿液の澄まし液を抽出し、澄まし液導管２０で上に上げ、澄まし液ノズル１６に到達させて、同じく大便器３後部の貯蔵部に噴出し、大便器３を繰り返し洗浄する。このように、下層洗浄液ポンプ２７と澄まし液ポンプ２８との二重ポンプから噴出する尿液洗浄液で大便器３をきれいに洗浄して、尿液沈殿物を残さない。また、収尿タンク２６にある尿液沈殿液は作動に伴って消耗され、溜まって多くなることはない。つまり、当該洗浄便器は二重ポンプで尿液洗浄液を噴出して、大便器３をきれいに洗浄し、且つ尿液沈殿物を残さない優れた機能がある。
【００５６】
図６は、本発明の第六実施例の無水源洗浄システムの洗浄便器である。当該洗浄便器は上述各実施例をベースに改良したものである。つまり、上述の循環洗浄糞便粉砕構造Ａ（第一実施例および第二実施例）、尿液収集装置Ｂ（第三実施例）、薬液自動添加装置Ｃ（第四実施例）および二重ポンプ洗浄装置Ｄ（第五実施例）を組み合わせ、且つ上述した構造をベースに集中ノズル構造Ｇ、水位センサー装置Ｐおよび探測装置２を設置し、本発明の無水源洗浄システムの洗浄便器を構成する。
【００５７】
当該無水源洗浄システムの洗浄便器は、前述した実施例の回路制御装置１、探測装置２、大便器３、粉砕ポンプ５、糞便粉砕パイプ８、収糞電磁弁９、収尿パイプ１０、収尿電磁弁１１、糞便粉砕電磁弁１２、薬液添加電磁弁１５、澄まし液ノズル１６、薬液タンク１７、薬液導入パイプ１９、澄まし導管２０、下層洗浄液導管２１、収糞パイプ２２、収尿タンク２６および上層洗浄液ポンプ２８を含む。当該部品の構造は上述実施例の構造と同じであるため、ここで触れないことにする。当該洗浄便器には集中ノズル構造Ｃ、水位センサー装置Ｆおよび探測装置２を設置する。
【００５８】
当該集中ノズルＣは、前述した第五実施例における下層洗浄液ポンプ２７の下層液導管２１の上端部に逆止め弁１４を接続設置する。当該逆止め弁１４を糞便粉砕パイプ８に接続し、両者を並列に連結して頂上部にある下層液ノズル４０に連結する。当該逆止め弁１４の作用で下層洗浄液ポンプ２７が収尿タンク２６から抽出した液体は当該弁を通じてノズル４０から大便器３に噴出できるが、大便器３と糞便粉砕パイプ８にある液体を収尿タンク２６に逆流させることはできない。
【００５９】
当該水位センサー装置Ｆは水位センサー２９および水位センサー３０を含む。当該水位センサー２９は収糞タンク２５の適当な位置に設置する。当該水位センサー３０は収尿タンク２６の適当な位置に設置する。
【００６０】
当該探測装置２は便所内部の適当な位置に設置し、回路制御措置１は本発明の洗浄便器を使っている人がいるかどうかを探知するために使う。当該探知装置２は、便所内に取り付けた光電探測装置、受身式人体赤外線探測器や便所の床板の下に取り付けた圧力センサー、便所のドアロック又はドアの鍵に取り付けた行程スイッチなどのいろいろな探測装置であることができる。当該探測装置の状態から便所を使っている人がいるかどうかが分ればそれでいいのである。たとえば、利用者が便所に入った時点で、人体は光電探測装置の発した光線を遮断又は反射し、それによって光電探測装置の状態に変化が生じる。または、人体の発する赤外線は受身式人体赤外探測器の状態に変化を引き起こす。人間が便所の床板を踏むと、床板の下にある圧力センサーの状態に変化が生じる。人間がロック又は鍵を掛けると、行程スイッチの状態に変化が生じるなどである。上述の探測装置の作動状態で、いずれも本発明の洗浄便所が使われているかどうかが説明できる。
上述した構造を組み合わせると、本発明の無水源洗浄システムの洗浄便器を構成する。
【００６１】
本発明は上述した各実施例をベースに排泄物一時貯蔵装置Ｅを増設し、新たな排出制御可能の無水源洗浄システムの洗浄便器を組み合わせて構成することができる。また、これは各種洗浄装置を組み合わせた最適実施方式でもある。
図６の示すとおり、第六実施例をベースに上述排泄物一時貯蔵装置Ｅを増設した洗浄便器を実施例として次の通り説明する。
【００６２】
当該排泄物一時貯蔵装置Ｅは、収糞タンク２５と糞便排出ポンプ２４とを含む。
当該収糞タンク２５は、大便器３の収糞パイプ２２の下端出口に設置した密閉タンクである。
【００６３】
当該糞便排出ポンプ２４は、その入り口を収糞タンク２５のタンク底部に設置する。当該糞便排出ポンプ２４に排出パイプ２３を接続し、且つ当該排出パイプ２３は収糞タンク２５の外まで延伸し、その出口は外部の収集場所に連結する。
【００６４】
本発明は上述した構造により次のように作動する。
大便器３の収糞パイプ２２の低端が収糞タンク２５に接続しているため、回路制御装置Ｉのコントロールで大小便時に探測装置２から送られてきた大小便開始の信号から時間を計算することができる。大小便の間に収尿電磁弁１１がＯＮし、尿液は粉砕ポンプ５および収尿パイプ１０を通じて収尿タンク２６に流れ込み、それによって固体と液体の分離の集尿が実現される。収尿にあたって、回路制御装置１のコントロールで薬液添加電磁弁１５がＯＮし、環境保護薬液１８は薬液タンク１７から薬液導管１９を通じて収尿パイプ１０に流れ込み、収集された尿液と混合する。それから一緒に収尿タンク２６に流れ込み、薬液から洗浄液の転換が実現される。小便の場合、用便者が便所を離れた時点で、澄まし液ポンプ２８と粉砕ポンプ５とが作動し、収尿タンク２６中の洗浄液は澄まし液ポンプ２８に吸い込まれ、洗浄液パイプ２０を通じて大便器３に流れ込み、それを洗浄する。それから、尿液と一緒に粉砕ポンプ５に吸い込まれ、収尿パイプ１０を通じて収尿タンク２６に回収される。大便の場合、収尿電磁弁１１はＯＦＦし、糞便粉砕電磁弁１２はＯＮする。下層洗浄液ポンプ２７は作動して一定時間維持する。約０．２〜０．３リットルの尿液沈殿を含んだ下層洗浄液が抽出され、下層液導管２１、逆止め弁１４およびノズル４０を経由して大便器３に噴出する。それと同時に、粉砕ポンプ５が作動し、洗浄液は大便器３、粉砕ポンプ５、糞便粉砕パイプ８および大便器３の環状経路において循環流動する。その循環流動によって、大便は粉砕ポンプ５に押し込まれて粉砕され、洗浄液とともに糊状液体となる。それから、糞便粉砕電磁弁１２がＯＦＦし、収糞電磁弁９がＯＮする。これによって、糊状の糞液は収糞パイプ２２を通じて収糞タンク２５に流れ込む。ここで澄まし液ポンプ２８が作動し、約０．２〜０．３リットルの澄まし液が大便器３に抽出され、大便器３に残留した糊状糞液はきれいに洗浄される。そのあと、それは粉砕ポンプ５が吸い取り、収糞パイプ２２を通じて収糞タンク２５に回収される。収糞タンク２５に貯蔵された糊状糞液は適当な時期（たとえば、固定した排出時間又は清掃運搬される時間）に糞便排出ポンプ２４によって排出パイプ２３を通じて洗浄便器の外部に流しだされ、制御可能の排出が実現される。
【００６５】
図７の示すとおり、これは、大小便識別装置とその識別方法の根拠となる大小便時間統計図である。当該統計図は、平面直角座標で普通便所の用便者の大小便に使う時間法則を表したものである。当該図はある実際の便所の連続延べ百人の大小便時間のサンプリングを描き、普通便所の利用法則を実際に反映した統計図である。当該統計図に曲線が二本ある。そのうち、実線は便所を利用した時間とそれに対応する延べ人数の法則を反映する。当該図の縦座標は用便人数と用便時間の微分で、横座標は用便時間を代表する。虚線はある時間までの用便済み延べ人数の統計総延べ人数に占める割合を表す。縦座標はパーセンテージを表し、横座標は用便時間を表す。
【００６６】
図７の実線から分るように、その三つのピーク値はそれぞれ男小便、女小便又は大便のピーク時間を代表する。虚線から分るように、約９０％の用便者は時間０〜ｔ０の間に集まっているが、この時間帯はほとんどが小便である。
【００６７】
実際にテストしたところ、テストされた者はｔ０より少ない時間で大便を済ますことができない結果を得た。つまり、時間ｔ０が存在する。この時間帯で大便を済ませる人はいない。実際のテストでは、ｔ０の値は１分間〜１．５分間の間である。
【００６８】
上述した結論によって、用便時間から大小便を自動識別する方法を見つけることができた。本発明は上述した識別方法を根拠に大小便を自動識別する大小便自動識別装置Ｅを増設することができる。
【００６９】
当該大小便識別装置Ｅは、回路制御装置Ｉ、探測装置２および回路制御装置Ｉに内蔵された上述方法を根拠に大小便を識別するプログラム回路を含む。
当該探測装置２はセンサーとして設置され、且つ回路制御装置Ｉの輸入端子に接続し、探測された信号を回路制御装置Ｉに伝送する。
【００７０】
図８は、本発明洗浄便器の回路制御装置における大小便自動識別装置Eのロジック判断構成略図である。当該大小便識別装置Eにおける回路制御装置Ｉは、探測装置２の提供した用便者が離れた信号で大便器３の洗浄をスタートすることができる。また、探測装置２の提供した用便者が便所に入った信号から探測装置２の提供した用便者が離れた信号までの時間を計算し、回路制御装置Ｉは計時装置の計算した時間の長さにより大小便を識別することもできる。すなわち、便所利用の時間がある特徴値ｔ０より短い場合、便所利用者は大便ではないと判断できる。個別の用便者は小便が特に長い場合もあるため、この方法ですべての大小便を区別することができないが、大便ではない述べ人数は確実に識別できる。当該方法を“小便自動識別方法”と言わないのは、特徴値ｔ０以内に便所を離れた利用者は小便した人かもしれないが、小便してない人かもしれないからである。
【００７１】
図９は、本発明の無水源洗浄システム洗浄便器の制御装置である。その回路部分は人体探測装置２、収糞タンク水位センサー２９、収尿タンク水位センサー３０、制御回路Ｉ、上層温度センサー３６（便所の適当な位置に設置）、下層温度センサー３７（便所の洗浄便器の底部位置の適当箇所に設置）、粉砕ポンプモーター７、収尿電磁弁１１、収糞電磁弁９、糞便粉砕電磁弁１２、薬液添加電磁弁１５、上層洗浄液ポンプ２８、下層洗浄液ポンプ２７、糞便排出ポンプ２４、便所内照明灯３１、使用中指示ランプ３２、換気扇３３、凍結防止加熱器３４および熱風ファン３５から組成される。
【００７２】
当該収糞タンクセンサー２９、収尿タンク水位センサー３０、上層温度センサー３６、下層温度センサー３７および人体探測装置２はセンサーに属し、粉砕ポンプモーター７、収尿電磁弁１１、収糞電磁弁９、糞便粉砕電磁弁１２、薬液添加電磁弁１５、上層洗浄液ポンプ２８、下層洗浄液ポンプ２７、糞便排出ポンプ２４、便所内照明灯３１、使用中指示ランプ３２、換気扇３３、凍結防止加熱器３４および熱風ファン３５は実行部品に属す。制御回路Ｉは上述した各センサーから送られてきた水位、温度および使用中情報を受信し、回路システムの判断でどの実行部品が何時作動するか、作動時間の長さおよび作動回数を決定する。
【００７３】
図１０は、本発明の無水源システム洗浄便器の回路制御装置における回路原理ブロック図である。当該回路制御装置１は、直流電源回路部分Ｉ、センサーの接続口部分II、制御回路部分IIIおよび実行部品駆動回路部分IVを含む。各センサーはセンサー接続口IIを通して信号を制御回路IIIに送り込み、制御回路の計算および判断によって信号を実行部品駆動回路IVIIに送り、駆動回路IVの出力増幅によって実行部品の運転作業を推し進める。
図１１の示すとおり、本発明の無水源洗浄システムの洗浄便器の回路制御装置における回路図にも図１０に列記した回路ブロック図の四つ部分がある。
【００７４】
第一部分は直流電源回路部分Ｉで、二重二次変圧器、ブリッジ整流回路、三端末均圧器とその保護回路ダイオードおよびウェーブフィルター回路より組成される。交流電源を変圧器の一次に入力し、二次より低圧交流を二つ出力する。それをブリッジ整流回路に入力してパルス直流に変え、ウェーブフィルターを経て直流電にする。三端末均圧器とウェーブフィルターを経て５ｖ直流電となり、共地される直流＋５ｖ電圧を二つ出力する。
【００７５】
第三部分は中核制御回路部分IIIで、シングルチップマイコンAＴ９０Ｓ８５３５とその付属回路より組成される。当該付属回路は作動周波数を提供する水晶発振器、高パワー再設定用抵抗とコンデンサー、水位センサーに使う通用の四ゲート又は非同等ゲート集積回路、警報用ブザー、級数プログラミングとオンライン通信用接続口およびキーボートとＬＥＤディスプレーに接続用の接続口を含む。水晶発振器をシングルチップマイコンの水晶発振器入力端の第１２フットおよび第１３フットに接続する。水晶発振器の両端を接地した二つのコンデンサーに接続する。高パワー再設定抵抗をシングルチップマイコンの第９フットに接続し、第９フットは接地したコンデンサーに接続する。ブザーの負極はシングルチップマイコンの第２０フットの正極に接続し、＋５ｖ電圧と連結する。級数プログラミングと通信接続口とは第８フットの接続端子によってそれぞれ＋５ｖと第１０フット、第５フット、第６フット、第７フット、第８フット、第９フットおよび第１１フットに接続し、同時に、第１１フットは接地し、第１０フットはシングルチップマイコン専用＋５ｖに接続する。キーボートとＬＥＤディスプレー接続口は第８フットの接続端子によってそれぞれ＋５ｖ、アース、第３フット、第４フット、第１７フット、第３９フットおよび第３８フットに接続する。
【００７６】
当該AＴ９０S８５３５シングルチップマイコンは米国ＡＴＭＥＬ社の８ビットのシングルチップマイコン製品である。それは、ウオッチドッグ、１０ビットＡＤＣモジュール転換器、ＳＰＩ同期直列通信、直列ダウンロードプログラム、ハイパスおよび高抵抗入力パターンなどの機能を内蔵する。当該回路は、第３３フットおよび第３４フットの１０ビットＡＤＣモジュール転換器で温度センサーから送られてきた電圧模擬信号をデジタル信号に転換し、第２フットＴＩの外部時計／カウンター機能で水位センサーから送られてきたパルス信号に対する周波数測定を行い、第３６フットおよび第３７フットの内蔵ハイパス入力機能で人体探測スイッチ信号を識別し、ロジック判断を行って、相応の実行部品駆動回路に指令を発する。当該シングルチップマイコンは直流電源回路出力＋５ｖ電圧のひとつを独占し、第１０フットに接続する。直流電源回路出力のあと一つの＋５ｖ電圧は、シングルチップマイコン以外の回路全体の直流電圧の需要に提供される。同時に、この直流電圧はシングルチップマイコン第１６フットの外部中断入力接続口ＩＮＴＯに接続する。当該中断入力接続口は下降触発に設定され、電気が切れた瞬間にシングルチップマイコンが働く仕掛けになっている。シングルチップマイコンは電気消耗がごくわずかなため、シングルチップマイコンに単独提供された＋５ｖの電圧は回路全体が電源異常になってもごく短い時間保つことができる。この間に、シングルチップマイコンは外部中断入力接続口を通じて電源異常を探知し、電源異常になる前の状態現場を保護することによって、正常になってから現場を回復し、作業を続けることができる。この設計は大小便の計時中に生じた短時間の断電や電圧変動のプログラム判断に及ぼす影響に対応したものである。
【００７７】
第二部分はセンサーの接続口回路IIである。人体探測装置の接続口回路は接続端子とコンデンサーより組成され、シングルチップマイコンの第３６フットおよび第３７フットに接続する。当該２フットを入力に設定し、ハイパス状態でセンサーによりその接地をローパスすることによって使用中かどうかを判断する。
【００７８】
当該水位センサーはその接続口の接続端子を四ゲート又は非同等ゲート集積回路に接続する。四ゲート又は非同等ゲート集積回路を図のように接続すると、二つの水位センサーから入力された矩形波信号に対するゲーティングができる。ゲーティング制御端をシングルチップマイコンの第Ｉフットに接続し、矩形波をシングルチップマイコンの第２フットに入力する。第１フットを出力に設定し、第２フットを入力の高抵抗状態又はハイパス状態に設定して、水位センサーから送られてきた矩形波信号の周波数で水位の高さを判断する。
【００７９】
当該温度センサーはその接続口回路の接続端子とコンデンサーをシングルチップマイコンの第３３フットおよび第３４フットに接続する。その２フットを入力に設定し、高抵抗状態にさせて、温度センサーから送られてきた電圧値で温度の高低を判断する。
【００８０】
第四部分は当該実行部品駆動回路IVで、十三路まったく同じ駆動ユニットより構成される。当該駆動ユニットはいずれも光結合駆動回路、高パワー水晶スイッチ管、保護役割の高耐圧コンデンサーおよび圧抵抗を含む。
そのうち、当該光結合駆動回路はその入力端をシングルチップマイコンの信号出力端と＋５ｖに接続し、光結合の出力端を高パワー水晶スイッチ管の入力端に接続する。
【００８１】
当該高パワー水晶スイッチ管はその出力端を並列の高耐圧コンデンサー、圧抵抗および実行部品に接続する。シングルチップマイコンが低電位を出力した場合、光結合内部の発光ダイオードが発光し、その内部の出力端の光感応二重伝送水晶スイッチ管の導通によって高パワー二重伝送水晶スイッチ管が導通され、相応の実行部品が駆動される。光結合駆動回路の光感応二重伝送水晶スイッチ管に内蔵されたゼロクロス駆動回路は光信号を受信し、且つ交流電圧がゼロクロスにあった瞬間に導通されるため、実行部品に突然ロードされて生じる電源波形の混乱、電源波形の異常から起こる回路の破損および実行部品とシングルチップマイコンのプログラム実施不能を防ぐことができる。
当該高耐圧コンデンサーは高周波ノイズを吸収する役割がある。
【００８２】
当該圧抵抗は過圧力の時に導通されるため、回路と実行部品にとって保護作用がある。
上述した十三路実行部品駆動ユニットの入力端はそれぞれシングルチップマイコンの第１４フット、第１５フット、第１８フット、第１９フット、第２１フット、第２３フット、第２４フット、第２５フット、第２６フット、第２７フット、第２８フットおよび第２９フットに接続し、出力端はそれぞれ粉砕ポンプモーター７、収尿電磁弁１１、収糞電磁弁９、糞便粉砕電磁弁１２、薬液添加電磁弁１５、上層洗浄液器ポンプ２８、下層洗浄液ポンプ２７、糞便排出ポンプ２４、便所内照明灯３１、使用中指示ランプ３２、換気扇３３、凍結防止加熱器３４および熱風ファン３５に接続し、シングルチップマイコンの相応フットによって相応の実行部品をコントロールする。
【００８３】
本発明は現有技術に比べると、目立った特長と有益な効果がある。上述した技術方案から分るように、本発明の洗浄便器は、使用に当たって現有洗浄便器の存在する欠陥がまったくない上、本発明は構造がより合理的で変化に富んでいるため、かなり優れた実用性を具え、産業において広く応用する価値がある。茲に、本発明の長所を次の通り説明する。
【００８４】
本発明の循環洗浄糞便粉砕構造を設置した洗浄便器である。現有の糞便粉砕便器が水を大量に使う弊害に対して、糞便と紙の粉砕によって排出汚物の流動性を強めた。また、それに一定の圧力と揚力があるため、糞便の粉砕に当たって、排出汚物はパイプを通って大便器に送り返され、洗浄液と汚物との混合物は大便器、粉砕ポンプ、パイプおよび大便器の間に循環経路が形成される。時間さえあれば、限られた洗浄液は糞便に流れ込む液体を無限に増やし、どんな洗浄し難い大便でもきれいに洗浄することができる。且つ大便は粉砕され、洗浄液と混合して糊状液体となって循環し、最終的には汚物はパイプで排出される。洗浄したあと、大便器に糊状糞便が残留している場合、洗浄液でもう一度洗浄すればきれいになる。これから分るように、当該便器は排出された洗浄液を循環させて大便器を再度洗浄するため、最大限に水を節約する効果がある。
【００８５】
本発明は尿液収集装置を設置した洗浄便器である。尿液収集装置のパイプに設置した電磁弁により、且つ尿液自身の沈む重力と流動性がいい特徴、大便の流動性が悪い特徴および粉砕ポンプ静止時の大便に対する阻止作用を利用して、尿液を粉砕ポンプの出口よりパイプで収尿タンクに導出することができる。これによって、便器は尿液の収集機能を具えると同時に、その元来の洗浄、排便および糞便粉砕などの機能に影響しない上で、廃棄物を利用して便器を洗浄し、且つ水を使わない便器洗浄の優れた機能がある。
【００８６】
３、上述した尿液収集装置は薬液自動添加装置を設置することができる。その薬液は尿液の悪臭を解消消毒できる液体の環境保護薬液である。それで処理された大小便は無臭無毒の無害化が実現され、使用者の需要に一致した実用的なものである。環境保護薬液添加の合理化、平均化および便利化を図るため、本発明は環境保護薬液を薬液タンクに貯蔵して長期の使用に備え、パイプで薬液タンク内の薬液を収尿タンクに導入する。その場合、パイプの通／断は電磁弁にコントロールされる。このように、電磁弁が一定時間開通すると、一定量の環境保護薬液が収尿タンクに流れ込み、自動添加の機能がある。
【００８７】
本発明は二重ポンプ洗浄装置を具えた洗浄便器である。二重ポンプ装置により尿液中の沈殿が溜まらないため、洗浄効果に影響することはない。二つのポンプを洗浄液貯蔵タンクの違った高さに設置して洗浄液を抽出するため、先に下層の沈殿を含んだ液体で便器を洗浄し、それから上層の澄まし液で沈殿物を洗浄することができる。大便器を前後二回洗浄することによって沈殿物の残留を防ぐことができるほか、長期にわたる尿液による便器洗浄によって、便器をきれいに洗浄できる機能があり、尿液沈殿物の堆積を防ぐ機能もある。
【００８８】
本発明は大小便自動識別装置を設置した洗浄便器で、大小便自動識別の方法とその識別装置を公開した。当方法は用便者の用便時間の長さで大小便を区別し、大便でない場合を識別できる。当該大小便自動識別方法とその識別装置は現有便所で使われている探測装置が人が離れた信号を提供して大小便の洗浄を始めるアイディアを参考したほか、探測装置の提供した人が便所に入った信号を利用し、便所のコントロールシステムは人が便所に入ってから離れるまでの時間で用便者の行為に対する小便認定を行う。当該装置は用便時間がある特徴値を超えた用便行為が大便であると確定できないが、当該方法で用便時間がある特徴値より短い用便行為は大便ではないと確定できる。このような判別方法と識別装置によって大便ではない用便行為については、当該洗浄糞便粉砕便器は粉砕しないで簡単な洗浄を行う。使った洗浄液は大便を含まないため、尿液収集装置はそれを無駄にしないで収尿タンクに回収してまた使う。したがって、大小便自動識別方法とその識別装置を設置することによって、大勢の用便者の大小便を識別し、大小便を人工識別する煩雑と不正確性から逃れ、且つ大小便に対する異なった処理を自動的に行う機能がある。
【００８９】
上述した装置と方法で製造した洗浄便器のサンプルは、一定時間の実際テストを経て次のようなデータを得ている。一人当たりの毎回の大小便は平均０．２〜０．３リットルの小便を生じる。これら小便はほとんど回収できる。回収された尿液に約０．１％の割合で環境保護薬液を混合すると、無臭無毒の液体となって理想的な便器を洗浄する洗浄液となる。その無臭は約一月保持できるため、それで処理された大便は無害化に達し、使用者の需要に一致し、且つ実用的である。これら洗浄液で大便を洗浄する場合、一人当たり約０．５リットル使い、それに大便時に回収した小便を計算すると、実際に消耗した小便は０．２〜０．３リットルとなる。つまり、約一人当たりの小便を消耗することになる。小便を洗浄した場合、すべての小便と洗浄液はいずれも収尿タンクに回収されるため、洗浄液が消耗されていない代わりに一人分の小便が増えた計算になる。このように、大小便の割合が収尿タンク中の洗浄液を基本的に保持できれば、洗浄液がなくなることはない。実際に見ると、小便の人数は大便の人数を大きく上回っている。つまり、本発明の洗浄システムは洗浄液を使い果たすことに直面することはないということである。たとえば、容積約２００リットルの便所の排泄物一時貯蔵装置は便所の排出サイクルを四日以上に延ばすことができるほか、排出物から１メートル離れたところでは悪臭がしない。特に、下水道に排出した場合は流動性がよく、地表に排出すると、一日内にざら紙状の固体となり、体積および重量は数十倍縮小される。一ヶ月あまりして、ざら紙状の固体を剥がすと、土地には何も異常がなく、環境保護の要求に一致する。
【００９０】
６、本発明の無水洗浄場システムの洗浄便器は、無水源洗浄システムにより尿液収集装置の尿液収集と循環洗浄糞便粉砕便器の節水機能を利用して、尿液を大便器をきれいに洗浄する洗浄液に変えることができる。また、大小便自動識別方法とその識別装置により大小便識別の人工依頼を逃れ、水源にまったく頼らず、人工給水に頼らずに大便器をきれいに洗浄できる優れた機能を最終的に実現した。上述した実施例が証明したように、本発明で公開された装置と方法を有機的に組み合わせると、洗浄便器は限られた尿液を十分な洗浄液に変え、それによる便器の洗浄は水源の依頼からまったく離れ、制御できる無臭排出による清潔保持と擁護が便利に行えるようになり、便器の正常運転は使用者の自覚的依頼から離れ、便所を本当意味の自動化された“バカチョン便所”に変えることができた。また、排出不便の場合、このような洗浄便器システムは随意に排出される汚物を一時貯蔵し、制御して排出できるため、より実用的で使用者の洗浄便器に対する需要に一致する。これは産業的に利用価値があり、産業界で広く推し進めることが期待される。
【００９１】
７、本発明は構造設計、実用性およびコストからみて、産業の発展需要に完全に一致し、且つ披露された構造はいまでかつてない独創的な設計で、刊行物にも現れていないし、申請前にも同じ構造特徴を具えたものがなく、市場にも類似製品が見当たらなかった。つまり、同類製品において類似構造設計を公開発表し、又は、使用した例がなく、確かにユニークなものである。
【００９２】
８、本発明の構造は確かに現有洗浄便器の技術より進んでおり、その独特な構造特徴と機能は現有洗浄便器と比べ、技術上の進歩性と実用性に優れ、使いやすい実用性に優れた機能があり、また、増加された多数の機能により、その創造性と実用性はとりわけ目立っている。
【００９３】
上述したものを纏めると、本発明は特殊構造を具えた洗浄便器であり、上述した多くの長所と実用価値を具え、その構造形態における独創革新は現有の洗浄便器製品に比べて多数の機能が取り入れられ、簡素化した構造と進んだ技術により実用的で使いやすいユニークなものとなり、産業的に広く利用する価値がある。
【００９４】
上述したものは本発明の優れた実施例にすぎず、本発明の如何なる形式による制限ではない。この技術に詳しいいずれの者が上述の公開した技術内容を同等変化に変更又は修飾した同等効果の実施例は、本発明の技術案内容を離脱していなければ、本発明の技術による上述実施例に対する実質的な簡単修正および当等変化と修飾は、いずれも本発明の技術案の範囲に属するものとする。
【図面の簡単な説明】
【００９５】
【図１】本発明の第一実施例に関わる循環洗浄糞便糞粉砕構造を設置した洗浄便器の概略図である。
【図２】本発明の第二実施例に関わる循環洗浄糞便糞粉砕構造を設置した洗浄便器の概略図である。
【図３】本発明の第三実施例に関わる尿液収集装置を設置した洗浄便器の概略図である。
【図４】本発明の第四実施例に関わる薬液自動添加装置を設置した洗浄便器の薬液自動添加装置の概略図である。
【図５】本発明の第五実施例に関わる二重ポンプ洗浄装置を設置した洗浄便器の概略図である
【図６】本発明の第六実施例に関わる無水源洗浄システムの洗浄便器の概略図である。
【図７】本発明の一実施例による洗浄便器の回路制御装置における大小便自動識別方法の根拠となる大小便時間の統計図である。
【図８】本発明の一実施例による大小便自動識別装置を設置した洗浄便器の概略図である。
【図９】本発明の一実施例による無水源洗浄システム洗浄便器の制御装置の回路原理ブロック図である。
【図１０】本発明の一実施例による無水源洗浄システム洗浄便器の回路制御装置の回路原理ブロック図である。
【図１１】本発明の一実施例による無水源洗浄システム洗浄便器の回路制御装置の回路図である。
【符号の説明】
【００９６】
１  回路制御装置、３  大便器、４  粉砕刃物、５  粉砕ポンプ、６  遠心ファン、７  モーター、８  糞便粉砕パイプ、９  電磁弁、１０  収尿パイプ、１１  電磁弁、１２  電磁弁、１３  糞便粉砕ノズル、１５  薬液添加電磁弁、１６  排出部ノズル、１７  薬液タンク、１８  消毒薬液、１９  薬液導入パイプ、２０  洗浄パイプ、２１  下層液導管、２２  収糞パイプ、２６  収尿タンク、２７  下層洗浄液ポンプ、２８  上層洗浄液ポンプ、２９  水位センサー、３０  水位センサー、３８  電磁弁、４０  下層洗浄液ノズル、Ａ  循環洗浄糞便粉砕構造、Ｂ  尿液収集装置、Ｃ  薬液自動添加装置、Ｄ  二重ポンプ洗浄装置、Ｆ  水位センサー装置、Ｇ  集中ノズル構造、Ｐ  水位センサー装置
【図１】
2004521202.tif 000003
【図２】
2004521202.tif 000004
【図３】
2004521202.tif 000005
【図４】
2004521202.tif 000006
【図５】
2004521202.tif 000007
【図６】
2004521202.tif 000008
【図７】
2004521202.tif 000009
【図８】
2004521202.tif 000010
【図９】
2004521202.tif 000011
【図１０】
2004521202.tif 000012
【図１１】
2004521202.tif 000013
【国際公開パンフレット】
2004521202.tif 000014
2004521202.tif 000015
2004521202.tif 000016
2004521202.tif 000017
2004521202.tif 000018
2004521202.tif 000019
2004521202.tif 000020
2004521202.tif 000021
2004521202.tif 000022
2004521202.tif 000023
2004521202.tif 000024
2004521202.tif 000025
2004521202.tif 000026
2004521202.tif 000027
2004521202.tif 000028
2004521202.tif 000029
2004521202.tif 000030
2004521202.tif 000031
2004521202.tif 000032
2004521202.tif 000033
2004521202.tif 000034
2004521202.tif 000035
2004521202.tif 000036
2004521202.tif 000037
2004521202.tif 000038
2004521202.tif 000039
2004521202.tif 000040
2004521202.tif 000041
2004521202.tif 000042
【国際調査報告】
2004521202.tif 000043
2004521202.tif 000044
2004521202.tif 000045
2004521202.tif 000046